(57)【要約】【課題】使用時には従来の鋏と同程度に使い易く、不使用時には幅方向に嵩張らない鋏を、安価に提供する。【解決手段】鋏１０は、一対の鋏片１１・１５で構成する。一方の鋏片１１は、固定アーム部１２と刀身部１３と固定指掛け部１４とで構成し、固定アーム部１２と刀身部１３とは一体的に形成する、刀身部１３の基端部には軸孔１３ｃを穿設し、固定アーム部１２の基端部には固定指掛け部１４を取り付ける。他方の鋏片１５は、連結アーム部１６と刀身部１７と可動指掛け部１８と回動連結部１９とで構成し、連結アーム部１６と刀身部１７とは一体的に形成する。刀身部１７の基端部には軸孔１７ｃを穿設し、連結アーム部１６の基端部には可動指掛け部１８と一体的に形成した回動連結部１９を回動自在に連結する。そして、これら鋏片１１と鋏片１５と重ね合わせ、軸孔１３ｃ・１７ｃに支軸９１を挿通して開閉自在に交差連結する。【選択図】図１
2020195596.tif 000002
【特許請求の範囲】
【請求項１】
長さ方向一端側に刀身部、他端側に指掛け部、を有する一対の鋏片が、支軸を介して開閉自在に交差連結された鋏であって、
少なくとも一方の側の鋏片に設けられた指掛け部は、この鋏片の長さ方向に略平行な軸心線を中心として回動自在に該鋏片に取り付けられており、
両鋏片の刀身部を閉じ合わせた状態のときに、この指掛け部を回動させて他方の側の鋏片に設けられた指掛け部に重ね合わせることができるように構成されたことを特徴とする鋏。
【請求項２】
前記指掛け部を重ね合わせたときに、いずれかの側の指掛け部が、他の側の指掛け部に開けられた指掛け穴の中に収納されるように構成されていることを特徴とする請求項１に記載の鋏。
【発明の詳細な説明】
【技術分野】
【０００１】
本発明は、主としてオフィスや学校で用いる鋏に関する。
【背景技術】
【０００２】
この種の鋏は、幅方向に嵩張っているためにペン立てや筆入れなどに入れると他の文房具の邪魔になるという欠点があった。そこで、この嵩張りをなくすために、例えば特許文献１や特許文献２の提案が既になされている。
【０００３】
このうち特許文献１の提案は、一対の鋏片の各後部に、閉じた状態において前後方向に並ぶ指掛け部をそれぞれ形成するとともに、後方に位置する側の指掛け部の後端に指当て部を設けたものである。
【０００４】
また、特許文献２の提案は、前記特許文献１の鋏に形成されている指掛け部が「前後ともに同一方向に開口しているために、鋏の開閉切断作業がし難い」という不便があるのに対し、指掛け部の開口方向をそれぞれ異ならせることによって、これを解消しようとしたものである。
【先行技術文献】
【特許文献】
【０００５】
【特許文献１】実開昭６１−１３４７８０号公報
【特許文献２】特開２０１５−１４６８３２号公報
【発明の概要】
【発明が解決しようとする課題】
【０００６】
しかしながら、特許文献２の提案においても特許文献１の鋏の欠点である開閉切断作業のし難さは完全には解消できておらず、さらには、この特許文献２の提案には、平置きしたときの安定感に欠けるという新たな問題が生じている。
【０００７】
本発明は、このような従来の鋏の問題を鑑みてなされたものであって、その目的は、使用時には一般の鋏と同程度に使い易く、不使用時には幅方向に嵩張らない鋏を、安価に提供することにある。
【課題を解決するための手段】
【０００８】
かかる目的を達成するために、本発明は、
長さ方向一端側に刀身部、他端側に指掛け部、を有する一対の鋏片が、支軸を介して開閉自在に交差連結された鋏であって、
少なくとも一方の側の鋏片に設けられた指掛け部は、この鋏片の長さ方向に略平行な軸心線を中心として回動自在に該鋏片に取り付けられており、
両鋏片の刀身部を閉じ合わせた状態のときに、この指掛け部を回動させて他方の側の鋏片に設けられた指掛け部に重ね合わせることができるように構成されたことを特徴とするものである。
【０００９】
こうした構成をとることによって、本発明にかかる鋏は、使用時には従来の鋏と同程度の使い勝手でありながらも、不使用時には幅方向の嵩張りを少なくすることができる。
【００１０】
なお、前記指掛け部を重ね合わせたときに、いずれかの側の指掛け部が、他の側の指掛け部に開けられた指掛け穴の中に収納されるように構成してもよい。
【００１１】
こうした構成をとることによって、厚み方向の嵩張りを増やすことなく幅方向の嵩張りを少なくすることができる。
【発明の効果】
【００１２】
本発明によれば、使用時には通常の鋏と同程度の使い勝手で開閉切断作業が可能であり、不使用時には指掛け部を回動させて折り畳むことによって幅方向に嵩張らないようにすることができる。さらには、構造が簡単なので製造し易く、安価に市場に提供することもできる。
【図面の簡単な説明】
【００１３】
【図１】本発明にかかる鋏の第１実施形態を示しており、（ａ）は使用可能な状態の斜視図、（ｂ）は折り畳んだ状態の斜視図。
【図２】同、（ａ）は分解斜視図、（ｂ）は回動連結部の要部拡大斜視図、（ｃ）は連結アーム部の要部拡大斜視図。
【図３】同、（ａ）は使用可能な状態の平面図、（ｂ）は（ａ）におけるＡ−Ａ線断面図、（ｃ）は折り畳んだ状態の、（ａ）におけるＡ−Ａ線に相当する位置での断面図
【図４】本発明にかかる鋏の第２実施形態を示しており、（ａ）は使用可能な状態の斜視図、（ｂ）は折り畳んだ状態の斜視図。
【図５】同、（ａ）は分解斜視図、（ｂ）は回動連結部の要部拡大斜視図、（ｃ）は連結アーム部の要部拡大斜視図。
【図６】本発明にかかる鋏の第３実施形態を示しており、（ａ）は使用可能な状態の斜視図、（ｂ）は折り畳んだ状態の斜視図。
【図７】同、（ａ）は折り畳んだ状態の平面図、（ｂ）は折り畳んだ状態の側面図。
【図８】同、（ａ）は分解斜視図、（ｂ）と（ｃ）は指掛け部の組み付け説明図。
【発明を実施するための形態】
【００１４】
以下、本発明にかかる鋏の実施形態を図に基づき説明するが、これに限定されるものではない。なお、ここでは便宜上、鋏の刀身部側を前方、指掛け部側を後方として説明している。
【００１５】
≪第１実施形態≫
図１ないし図３は本発明にかかる鋏の第１実施形態を示しており、図１（ａ）は使用可能な状態の斜視図、（ｂ）は折り畳んだ状態の斜視図、図２（ａ）は分解斜視図、（ｂ）は回動連結部の要部拡大斜視図、（ｃ）は連結アーム部の要部拡大斜視図、図３（ａ）は使用可能な状態の平面図、（ｂ）は（ａ）におけるＡ−Ａ線断面図、（ｃ）は折り畳んだ状態の（ａ）におけるＡ−Ａ線に相当する位置での断面図、である。
【００１６】
図において、符号１０は本実施形態における鋏を示しており、この鋏１０は、一対の鋏片１１・１５で構成されている。
【００１７】
このうち一方の側の鋏片１１は、さらに、固定アーム部１２と、該固定アーム部１２の先端から前方に向かって延設された刀身部１３と、固定指掛け部１４と、で構成されている。
【００１８】
これの固定アーム部１２と刀身部１３とは、ステンレス鋼板等の金属板素材によって一体的に形成されており、刀身部１３の基端部には支軸９１を挿通するための軸孔１３ｃが穿設されている。
【００１９】
固定指掛け部１４は、合成樹脂からなるもので、平面視で略角丸台形状に形成されており、これの後部には指二本程度を挿入できるだけの前後長を有する指掛け穴１４ｄが開けられ、前端面から内部に向かっては固定アーム部１２の基端部が埋め込まれている。
【００２０】
つぎに他方の側の鋏片１５は、連結アーム部１６と、該連結アーム部１６の先端から前方に向かって延設された刀身部１７と、可動指掛け部１８と、回動連結部１９と、で構成されている。
【００２１】
これの連結アーム部１６と刀身部１７とは、前記のアーム部１２と刀身部１３と同様にステンレス鋼板等の金属板素材によって一体的に形成されており、刀身部１７の基端部には支軸９１を挿通するための軸孔１７ｃが穿設されている。
【００２２】
また、連結アーム部１６の基端部は、幅方向外側に向かって略Ｌ字状に屈曲しており、その両側縁からは一対の支持板１６ｂ・１６ｂがそれぞれ立設され、該支持板１６ｂ・１６ｂの略中央部には可動指掛け部１８を回動自在に支持するための支持孔１６ｃ・１６ｃがそれぞれ穿設されている。この支持孔１６ｃ・１６ｃの軸心線は鋏片１５の長さ方向と略平行になるように設定されている。
【００２３】
可動指掛け部１８は、固定指掛け部１４と同様に合成樹脂からなるもので、平面視で前方に向うにしたがって幅狭になる略角丸三角形状に形成されており、これの後部には親指を挿入するための指掛け穴１８ｄが開けられ、前部には回動連結部１９が設けられている。
【００２４】
この回動連結部１９は、可動指掛け部１８と一体に形成されたもので、可動指掛け部１８の前部上面から上方に向かって突出したのち幅方向内側に向かって延出する正面視逆Ｌ字形状になっており、その両側端面には支持軸１９ｅ・１９ｅがそれぞれ凸設されている。
【００２５】
そして、連結アーム部１６側に穿設された支持孔１６ｃ・１６ｃに、回動連結部１９側に凸設された支持軸１９ｅ・１９ｅをそれぞれ嵌合させることによって、可動指掛け部１８は連結アーム部１６に回動自在に取り付けられている。
【００２６】
さらに、こうして可動指掛け部１８が取り付けられた鋏片１５に、もう一方の側の鋏片１１を向かい合わせにして重ね、これらにそれぞれ穿設された軸孔１７ｃ・１３ｃに、支軸９１を挿通させることによって鋏片１５と鋏片１１とは開閉自在に交差連結されている。
【００２７】
つぎに、かかる構成を有する鋏１０の使用の形態について、図を基に説明する。
【００２８】
〈使用可能な形態〉
このとき、鋏片１５側の可動指掛け部１８は、図１（ａ）および図３（ａ）に示すように、鋏片１１側の固定指掛け部１４と対向する位置にあり、本実施形態の鋏１０は、通常の鋏となんら変わりなく開閉切断作業をおこなうことができる。
【００２９】
なお、切断する際に可動指掛け部１８に加わる力は、図３（ｂ）のＡ−Ａ線断面図に示すように回動連結部１９の下端面に連結アーム部１６の先端縁が当接することで支えられており、固定指掛け部１４を基準として１８０度を越えて回動することがないようになっている。
【００３０】
〈不使用時の場合〉
前記形態から、可動指掛け部１８を上方に持ち上げ、そのまま固定指掛け部１４側に向かって回動させていき、図１（ｂ）に示すように固定指掛け部１４の上に重ね合わせる。図３（ｃ）は、そのときの状態を示す図３（ａ）のＡ−Ａ線に相当する位置での断面図である。
【００３１】
こうして可動指掛け部１８を折り畳んだ形態にすることで幅方向の嵩張りが少なくなり、ペン立てや筆入れに収納する際にスペースをあまりとらないという利点が生じる。
【００３２】
また、従来の鋏では、保管の際に壁に取り付けられたフックに掛けようとしても、指掛け部のどちらか一方しか掛けることができなかった。そのため、時間が経過していくうちに自重によってそれぞれの刀身部が開いた状態になるおそれがあり、美観上の問題があるうえに危険でもあった。よって、このような事態になることを嫌い、従来の鋏がフックに掛けられて保管されるようなことはなかった。
【００３３】
しかしながら、本発明にかかる鋏では、折り畳んだ状態のときには双方の鋏片に設けられた指掛け部は重なり合っており、フックに掛ける際には自ずと双方の指掛け部が掛かることになる。そのため、不本意に開くおそれがなく安全であり、新たな保管の形態として作業性の向上にも寄与することができるという利点も有している。
【００３４】
なお、使用可能な状態や折り畳んだ状態を維持しておくためには、例えば連結アーム部の支持板内側と回動連結部側の側壁とに小突起と嵌合凹部とをそれぞれ形成しておき、使用可能な状態や折り畳んだ状態にしたときに、これらが嵌合することによってその状態を保つようにしてもよく、既存の他の維持手段を用いてもよい。
【００３５】
また、可動指掛け部の外周縁から径方向外側に向かって摘み片を延設し、これを摘んで回動させることができるようにしてもよい。こうした構成をとることによって、折り畳んだ状態から使用可能な状態に戻す作業が、より簡単になるという利点が生じる。
【００３６】
≪第２実施形態≫
図４および図５は本発明にかかる鋏の第２実施形態を示しており図４（ａ）は使用可能な状態の斜視図、（ｂ）は折り畳んだ状態の斜視図、図５（ａ）は分解斜視図、（ｂ）は回動連結部の要部拡大斜視図、（ｃ）は連結アーム部の要部拡大斜視図、である。
【００３７】
図において、符号２０は本実施形態における鋏、２５は鋏片、２６は連結アーム部、２８は可動指掛け部、２９は回動連結部、を示している。なお、煩雑さを防ぐために第１実施形態と同一の部位には同一記号を付し、説明を省略している。これは、以降の実施形態においても同様とする。
【００３８】
ここでの可動指掛け部２８は、合成樹脂からなる平面視で略角丸四角形状に形成されており、その外周のサイズは、固定指掛け部１４側に設けられた指掛け穴１４ｄの内周のサイズよりも小さなものとなっている。
【００３９】
また、回動連結部２９は、可動指掛け部２８とは別体のものとして形成されており、連結アーム部２６と同様のステンレス鋼板等の金属板素材からなっている。これの基端部は、可動指掛け部２８の前部に埋め込まれており、ここから前方に向かってわずかに延出したのち下方に向かい、下面が可動指掛け部２８の下面と略面一になったところで再び前方に向かって延出している。そして、連結アーム部２６の先端部に対応する位置にきたところで幅方向内側端縁から支持基板２９ａが立設し、さらに該支持基板２９ａの両側端縁から連結アーム部２６側に向かって一対の支持板２９ｂ・２９ｂがそれぞれ延設されている。この一対の支持板２９ｂ・２９ｂの略中央部には、連結アーム部２６側と回動自在に連結されるための支持孔２９ｃ・２９ｃがそれぞれ穿設されている。
【００４０】
つぎに連結アーム部２６は、基端部が回動連結部２９の下面と略面一になるように段差を設けて形成されており、この連結アーム部２６側の支持孔１６ｃ・１６ｃと回動連結部２９側の支持孔２９ｃ・２９ｃとを合わせ、別体として形成された金属製の支持ピン９２を挿通させることによって、これらは回動自在に連結されている。
【００４１】
こうした構成をとることによって、本実施形態の鋏２０は、折り畳んだ際には固定指掛け部１４側に設けた指掛け穴１４ｄの中に可動指掛け部２８が収納されるようになり、厚み方向への嵩張りを生じないという利点を有する。
【００４２】
また、固定指掛け部１４側には、この折り畳んだ状態のときに回動連結部２９が嵌まり込むための溝部２４ｆが刻設されており、回動連結部２９の厚み分の嵩張りも防いでいる。
【００４３】
なお、ここでは固定指掛け部の内側に可動指掛け部が収納されるものとしているが、これに限定されるものではなく、例えば可動指掛け部側の指掛け穴の中に固定指掛け部が収納されるようにしたものであってもよい。
【００４４】
≪第３実施形態≫
図６ないし図８は本発明にかかる鋏の第３実施形態を示しており、図６（ａ）は使用可能な状態の斜視図、（ｂ）は折り畳んだ状態の斜視図、図７（ａ）は折り畳んだ状態の平面図、（ｂ）は折り畳んだ状態の側面図、図８（ａ）は分解斜視図、（ｂ）と（ｃ）は指掛け部の組み付け説明図、である。
【００４５】
図において、符号３０は本実施形態における鋏、３５は鋏片、３６は連結アーム部、３８は可動指掛け部、３９は回動連結部、を示している。
【００４６】
ここでの一対の鋏片３５・３５は、双方に回動可能な可動指掛け部３８・３８が取り付けられたものとなっている。以下、さらに詳しく説明する
【００４７】
これの可動指掛け部３８は、平面視で略Ｕ字形状に形成された厚板状のもので、その両先端面はそれぞれが正面視で略半円状に切り欠かれており、上下の面には所定の間隔で複数の嵌合用突起３８ｇ・３８ｇ・・がそれぞれ凸設されている。
【００４８】
つぎに回動連結部３９は、円環状の平板を正面視略Ｕ字形状に屈曲させた形状をしており、上部と下部の板面いずれにも前記嵌合用突起３８ａ・３８ａ・・に対応する嵌合用孔３９ｈ・３９ｈ・・がそれぞれ穿設されている。
【００４９】
そして連結アーム部３６は、刀身部１７の基端部から延設されたアーム本体３６ｉと、合成樹脂からなる略角棒状の指当て部３６ｊと、で構成されたもので、指当て部３６ｊの前部と後部には前記回動連結部３９を回動自在に取り付けるための取付溝部３６ｋ・３６ｋが全周に渡ってそれぞれ刻設されており、前端面から内部に向かってはアーム本体３６ｉの基端部が埋め込まれている。
【００５０】
〈可動指掛け部の組み付け方法〉
可動指掛け部３８を連結アーム部３６に組み付けるには、まず、図８（ｂ）に示すように、指当て部３６ｊの幅方向両側の対向する位置に可動指掛け部３８と回動連結部３９とを配する。
【００５１】
つぎに、可動指掛け部３８の略半円状に切り欠かれた両先端面を、指当て部３６ｊに刻設した取付溝部３６ｋ・３６ｋのそれぞれに当接させ、対向する位置に配された回動連結部３９を該可動指掛け部３８側に向けて押し込んでいく。
【００５２】
そうすると、可動指掛け部３８側の上下面に突設した嵌合用突起３８ｇ・３８ｇ・・と、回動連結部３９側に穿設した嵌合用孔３９  ｈ・３９ｈ・・と、がそれぞれ嵌合し、可動指掛け部３８は回動自在に連結アーム部３６に組み付けられることとなる。
【００５３】
こうして可動指掛け部３８が組み付けられた鋏片３５に、同様の構造を有するもう一つの鋏片３８を向かい合わせにして重ね、これらにそれぞれ穿設された軸孔１７ｃ・１７ｃに、支軸９１を挿通させることによって鋏片３８・３８は開閉自在に連結されている。
【００５４】
〈使用可能な形態〉
既に説明した他の実施形態と同様に、双方の可動指掛け部３８・３８は対向する位置にあり、通常の鋏となんら変わりなく開閉切断作業をおこなうことができる。さらに本実施形態は、双方の可動指掛け部３８・３８を同じ構成としているため、親指を挿入する側と他の指を挿入する側とを作業開始時に確認する必要がないという利点も有している。
【００５５】
〈不使用時の場合〉
双方の可動指掛け部３８・３８をそれぞれ回動させてお互いを近づけていき、重ね合わる。そうすると、図７（ａ）および（ｂ）に示すように、可動指掛け部３８は刀身部１７に対して直交した状態となり、幅方向への嵩張りが、より小さくなるという利点が生じる。
【００５６】
なお、双方の可動指掛け部を回動可能に取り付ける構成は本実施形態に限定されるものではなく、例えば第１実施形態に示した可動指掛け部の取り付け構造を双方の鋏片に適用するようにしてもよく、要は、双方の可動指掛け部を鋏片の長さ方向に対し略周方向に回動させて重ならせることができれば、その構成は問わない。
【００５７】
以上説明したように、本発明にかかる鋏は、使用時の使い勝手を損ねることなく幅方向の嵩張りを少なくすることができ、ペン立てや筆入れに収納した際にもスペースをあまりとらないという利点を有する。さらには、構造も簡単なので安価に提供することもできるという利点も有している。
【符号の説明】
【００５８】
１０，２０，３０・・・・・・・鋏
１１・・・・・・・・・・・・・鋏片
１２・・・・・・・・・・・・・固定アーム部
１３・・・・・・・・・・・・・刀身部
１３ｃ・・・・・・・・・・・・軸孔
１４・・・・・・・・・・・・・固定指掛け部
１４ｄ・・・・・・・・・・・・指掛け穴
２４ｆ・・・・・・・・・溝部
１５，２５，３５・・・・・・・鋏片
１６，２６，３６・・・・・・・連結アーム部
１６ｂ・・・・・・・・・・・・支持板
１６ｃ・・・・・・・・・・・・支持孔
３６ｉ・・・・・・アーム本体
３６ｊ・・・・・・指当て部
３６ｋ・・・・・・取付溝部
１７・・・・・・・・・・・・・刀身部
１７ｃ・・・・・・・・・・・・軸孔
１８・２８，３８・・・・・・・可動指掛け部
１８ｄ・・・・・・・・・・・・指掛け穴
３８ｇ・・・・・・嵌合用突起
１９・２９，３９・・・・・・・回動連結部
１９ｅ・・・・・・・・・・・・支持軸
２９ａ・・・・・・・・・支持基板
２９ｂ・・・・・・・・・支持板
２９ｃ・・・・・・・・・支持孔
３９ｈ・・・・・・嵌合用孔
９１・・・・・・・・・・・・・支軸
９２・・・・・・・・・・・・・支持ピン
【図１】
2020195596.tif 000003
【図２】
2020195596.tif 000004
【図３】
2020195596.tif 000005
【図４】
2020195596.tif 000006
【図５】
2020195596.tif 000007
【図６】
2020195596.tif 000008
【図７】
2020195596.tif 000009
【図８】
2020195596.tif 000010
【手続補正書】
【提出日】令和1年7月28日(2019.7.28)
【手続補正１】
【補正対象書類名】特許請求の範囲
【補正対象項目名】全文
【補正方法】変更
【補正の内容】
【特許請求の範囲】
【請求項１】
長さ方向一端側に刀身部、他端側に指掛け部、を有する一対の鋏片が、支軸を介して開閉自在に交差連結された鋏であって、
＿一方の側の鋏片に設けられた指掛け部は、この鋏片の長さ方向に略平行な軸心線を中心として回動自在に該鋏片に取り付けられており、
他方の側の鋏片に設けられた指掛け部は、この鋏片に固定して取り付けられており、
両鋏片の刀身部を閉じ合わせた状態のときに、一方の側の鋏片に取り付けられた指掛け部を回動させて他方の側の鋏片に固定して取り付けられた指掛け部に重ね合わせることができるように構成されたことを特徴とする鋏。
【請求項２】
長さ方向一端側に刀身部、他端側に指掛け部、を有する一対の鋏片が、支軸を介して開閉自在に交差連結された鋏であって、
少なくとも一方の側の鋏片に設けられた指掛け部は、この鋏片の長さ方向に略平行な軸心線を中心として回動自在に該鋏片に取り付けられており、
両鋏片の刀身部を閉じ合わせた状態のときに、この指掛け部を回動させて、いずれかの側の指掛け部が、他の側の指掛け部に開けられた指掛け穴の中に収納されるように構成されていることを特徴とする鋏。
【手続補正２】
【補正対象書類名】明細書
【補正対象項目名】全文
【補正方法】変更
【補正の内容】
【発明の詳細な説明】
【技術分野】
【０００１】
本発明は、主としてオフィスや学校で用いる鋏に関する。
【背景技術】
【０００２】
この種の鋏は、幅方向に嵩張っているためにペン立てや筆入れなどに入れると他の文房具の邪魔になるという欠点があった。そこで、この嵩張りをなくすために、例えば特許文献１や特許文献２の提案が既になされている。
【０００３】
このうち特許文献１の提案は、一対の鋏片の各後部に、閉じた状態において前後方向に並ぶ指掛け部をそれぞれ形成するとともに、後方に位置する側の指掛け部の後端に指当て部を設けたものである。
【０００４】
また、特許文献２の提案は、前記特許文献１の鋏に形成されている指掛け部が「前後ともに同一方向に開口しているために、鋏の開閉切断作業がし難い」という不便があるのに対し、指掛け部の開口方向をそれぞれ異ならせることによって、これを解消しようとしたものである。
【先行技術文献】
【特許文献】
【０００５】
【特許文献１】実開昭６１−１３４７８０号公報
【特許文献２】特開２０１５−１４６８３２号公報
【発明の概要】
【発明が解決しようとする課題】
【０００６】
しかしながら、特許文献２の提案においても特許文献１の鋏の欠点である開閉切断作業のし難さは完全には解消できておらず、さらには、この特許文献２の提案には、平置きしたときの安定感に欠けるという新たな問題が生じている。
【０００７】
本発明は、このような従来の鋏の問題を鑑みてなされたものであって、その目的は、使用時には一般の鋏と同程度に使い易く、不使用時には幅方向に嵩張らない鋏を、安価に提供することにある。
【課題を解決するための手段】
【０００８】
かかる目的を達成するために、本発明は、
長さ方向一端側に刀身部、他端側に指掛け部、を有する一対の鋏片が、支軸を介して開閉自在に交差連結された鋏であって、
＿一方の側の鋏片に設けられた指掛け部は、この鋏片の長さ方向に略平行な軸心線を中心として回動自在に該鋏片に取り付けられており、
他方の側の鋏片に設けられた指掛け部は、この鋏片に固定して取り付けられており、
両鋏片の刀身部を閉じ合わせた状態のときに、一方の側の鋏片に取り付けられた指掛け部を回動させて他方の側の鋏片に固定して取り付けられた指掛け部に重ね合わせることができるように構成されたことを特徴とするものである。
【０００９】
こうした構成をとることによって、本発明にかかる鋏は、使用時には従来の鋏と同程度の使い勝手でありながらも、不使用時には幅方向の嵩張りを少なくすることができる。
【００１０】
また、長さ方向一端側に刀身部、他端側に指掛け部、を有する一対の鋏片が、支軸を介して開閉自在に交差連結された鋏であって、
少なくとも一方の側の鋏片に設けられた指掛け部は、この鋏片の長さ方向に略平行な軸心線を中心として回動自在に該鋏片に取り付けられており、
両鋏片の刀身部を閉じ合わせた状態のときに、この指掛け部を回動させて、いずれかの側の指掛け部が、他の側の指掛け部に開けられた指掛け穴の中に収納されるように構成されていることを特徴とするものであってもよい。
【００１１】
こうした構成をとることによって、厚み方向の嵩張りを増やすことなく幅方向の嵩張りを少なくすることができる。
【発明の効果】
【００１２】
本発明によれば、使用時には通常の鋏と同程度の使い勝手で開閉切断作業が可能であり、不使用時には指掛け部を回動させて折り畳むことによって幅方向に嵩張らないようにすることができる。さらには、構造が簡単なので製造し易く、安価に市場に提供することもできる。
【図面の簡単な説明】
【００１３】
【図１】本発明にかかる鋏の第１実施形態を示しており、（ａ）は使用可能な状態の斜視図、（ｂ）は折り畳んだ状態の斜視図。
【図２】同、（ａ）は分解斜視図、（ｂ）は回動連結部の要部拡大斜視図、（ｃ）は連結アーム部の要部拡大斜視図。
【図３】同、（ａ）は使用可能な状態の平面図、（ｂ）は（ａ）におけるＡ−Ａ線断面図、（ｃ）は折り畳んだ状態の、（ａ）におけるＡ−Ａ線に相当する位置での断面図
【図４】本発明にかかる鋏の第２実施形態を示しており、（ａ）は使用可能な状態の斜視図、（ｂ）は折り畳んだ状態の斜視図。
【図５】同、（ａ）は分解斜視図、（ｂ）は回動連結部の要部拡大斜視図、（ｃ）は連結アーム部の要部拡大斜視図。
【発明を実施するための形態】
【００１４】
以下、本発明にかかる鋏の実施形態を図に基づき説明するが、これに限定されるものではない。なお、ここでは便宜上、鋏の刀身部側を前方、指掛け部側を後方として説明している。
【００１５】
≪第１実施形態≫
図１ないし図３は本発明にかかる鋏の第１実施形態を示しており、図１（ａ）は使用可能な状態の斜視図、（ｂ）は折り畳んだ状態の斜視図、図２（ａ）は分解斜視図、（ｂ）は回動連結部の要部拡大斜視図、（ｃ）は連結アーム部の要部拡大斜視図、図３（ａ）は使用可能な状態の平面図、（ｂ）は（ａ）におけるＡ−Ａ線断面図、（ｃ）は折り畳んだ状態の（ａ）におけるＡ−Ａ線に相当する位置での断面図、である。
【００１６】
図において、符号１０は本実施形態における鋏を示しており、この鋏１０は、一対の鋏片１１・１５で構成されている。
【００１７】
このうち一方の側の鋏片１１は、さらに、固定アーム部１２と、該固定アーム部１２の先端から前方に向かって延設された刀身部１３と、固定指掛け部１４と、で構成されている。
【００１８】
これの固定アーム部１２と刀身部１３とは、ステンレス鋼板等の金属板素材によって一体的に形成されており、刀身部１３の基端部には支軸９１を挿通するための軸孔１３ｃが穿設されている。
【００１９】
固定指掛け部１４は、合成樹脂からなるもので、平面視で略角丸台形状に形成されており、これの後部には指二本程度を挿入できるだけの前後長を有する指掛け穴１４ｄが開けられ、前端面から内部に向かっては固定アーム部１２の基端部が埋め込まれている。
【００２０】
つぎに他方の側の鋏片１５は、連結アーム部１６と、該連結アーム部１６の先端から前方に向かって延設された刀身部１７と、可動指掛け部１８と、回動連結部１９と、で構成されている。
【００２１】
これの連結アーム部１６と刀身部１７とは、前記のアーム部１２と刀身部１３と同様にステンレス鋼板等の金属板素材によって一体的に形成されており、刀身部１７の基端部には支軸９１を挿通するための軸孔１７ｃが穿設されている。
【００２２】
また、連結アーム部１６の基端部は、幅方向外側に向かって略Ｌ字状に屈曲しており、その両側縁からは一対の支持板１６ｂ・１６ｂがそれぞれ立設され、該支持板１６ｂ・１６ｂの略中央部には可動指掛け部１８を回動自在に支持するための支持孔１６ｃ・１６ｃがそれぞれ穿設されている。この支持孔１６ｃ・１６ｃの軸心線は鋏片１５の長さ方向と略平行になるように設定されている。
【００２３】
可動指掛け部１８は、固定指掛け部１４と同様に合成樹脂からなるもので、平面視で前方に向うにしたがって幅狭になる略角丸三角形状に形成されており、これの後部には親指を挿入するための指掛け穴１８ｄが開けられ、前部には回動連結部１９が設けられている。
【００２４】
この回動連結部１９は、可動指掛け部１８と一体に形成されたもので、可動指掛け部１８の前部上面から上方に向かって突出したのち幅方向内側に向かって延出する正面視逆Ｌ字形状になっており、その両側端面には支持軸１９ｅ・１９ｅがそれぞれ凸設されている。
【００２５】
そして、連結アーム部１６側に穿設された支持孔１６ｃ・１６ｃに、回動連結部１９側に凸設された支持軸１９ｅ・１９ｅをそれぞれ嵌合させることによって、可動指掛け部１８は連結アーム部１６に回動自在に取り付けられている。
【００２６】
さらに、こうして可動指掛け部１８が取り付けられた鋏片１５に、もう一方の側の鋏片１１を向かい合わせにして重ね、これらにそれぞれ穿設された軸孔１７ｃ・１３ｃに、支軸９１を挿通させることによって鋏片１５と鋏片１１とは開閉自在に交差連結されている。
【００２７】
つぎに、かかる構成を有する鋏１０の使用の形態について、図を基に説明する。
【００２８】
〈使用可能な形態〉
このとき、鋏片１５側の可動指掛け部１８は、図１（ａ）および図３（ａ）に示すように、鋏片１１側の固定指掛け部１４と対向する位置にあり、本実施形態の鋏１０は、通常の鋏となんら変わりなく開閉切断作業をおこなうことができる。
【００２９】
なお、切断する際に可動指掛け部１８に加わる力は、図３（ｂ）のＡ−Ａ線断面図に示すように回動連結部１９の下端面に連結アーム部１６の先端縁が当接することで支えられており、固定指掛け部１４を基準として１８０度を越えて回動することがないようになっている。
【００３０】
〈不使用時の場合〉
前記形態から、可動指掛け部１８を上方に持ち上げ、そのまま固定指掛け部１４側に向かって回動させていき、図１（ｂ）に示すように固定指掛け部１４の上に重ね合わせる。図３（ｃ）は、そのときの状態を示す図３（ａ）のＡ−Ａ線に相当する位置での断面図である。
【００３１】
こうして可動指掛け部１８を折り畳んだ形態にすることで幅方向の嵩張りが少なくなり、ペン立てや筆入れに収納する際にスペースをあまりとらないという利点が生じる。
【００３２】
また、従来の鋏では、保管の際に壁に取り付けられたフックに掛けようとしても、指掛け部のどちらか一方しか掛けることができなかった。そのため、時間が経過していくうちに自重によってそれぞれの刀身部が開いた状態になるおそれがあり、美観上の問題があるうえに危険でもあった。よって、このような事態になることを嫌い、従来の鋏がフックに掛けられて保管されるようなことはなかった。
【００３３】
しかしながら、本発明にかかる鋏では、折り畳んだ状態のときには双方の鋏片に設けられた指掛け部は重なり合っており、フックに掛ける際には自ずと双方の指掛け部が掛かることになる。そのため、不本意に開くおそれがなく安全であり、新たな保管の形態として作業性の向上にも寄与することができるという利点も有している。
【００３４】
なお、使用可能な状態や折り畳んだ状態を維持しておくためには、例えば連結アーム部の支持板内側と回動連結部側の側壁とに小突起と嵌合凹部とをそれぞれ形成しておき、使用可能な状態や折り畳んだ状態にしたときに、これらが嵌合することによってその状態を保つようにしてもよく、既存の他の維持手段を用いてもよい。
【００３５】
また、可動指掛け部の外周縁から径方向外側に向かって摘み片を延設し、これを摘んで回動させることができるようにしてもよい。こうした構成をとることによって、折り畳んだ状態から使用可能な状態に戻す作業が、より簡単になるという利点が生じる。
【００３６】
≪第２実施形態≫
図４および図５は本発明にかかる鋏の第２実施形態を示しており図４（ａ）は使用可能な状態の斜視図、（ｂ）は折り畳んだ状態の斜視図、図５（ａ）は分解斜視図、（ｂ）は回動連結部の要部拡大斜視図、（ｃ）は連結アーム部の要部拡大斜視図、である。
【００３７】
図において、符号２０は本実施形態における鋏、２５は鋏片、２６は連結アーム部、２８は可動指掛け部、２９は回動連結部、を示している。なお、煩雑さを防ぐために第１実施形態と同一の部位には同一記号を付し、説明を省略している。これは、以降の実施形態においても同様とする。
【００３８】
ここでの可動指掛け部２８は、合成樹脂からなる平面視で略角丸四角形状に形成されており、その外周のサイズは、固定指掛け部１４側に設けられた指掛け穴１４ｄの内周のサイズよりも小さなものとなっている。
【００３９】
また、回動連結部２９は、可動指掛け部２８とは別体のものとして形成されており、連結アーム部２６と同様のステンレス鋼板等の金属板素材からなっている。これの基端部は、可動指掛け部２８の前部に埋め込まれており、ここから前方に向かってわずかに延出したのち下方に向かい、下面が可動指掛け部２８の下面と略面一になったところで再び前方に向かって延出している。そして、連結アーム部２６の先端部に対応する位置にきたところで幅方向内側端縁から支持基板２９ａが立設し、さらに該支持基板２９ａの両側端縁から連結アーム部２６側に向かって一対の支持板２９ｂ・２９ｂがそれぞれ延設されている。この一対の支持板２９ｂ・２９ｂの略中央部には、連結アーム部２６側と回動自在に連結されるための支持孔２９ｃ・２９ｃがそれぞれ穿設されている。
【００４０】
つぎに連結アーム部２６は、基端部が回動連結部２９の下面と略面一になるように段差を設けて形成されており、この連結アーム部２６側の支持孔１６ｃ・１６ｃと回動連結部２９側の支持孔２９ｃ・２９ｃとを合わせ、別体として形成された金属製の支持ピン９２を挿通させることによって、これらは回動自在に連結されている。
【００４１】
こうした構成をとることによって、本実施形態の鋏２０は、折り畳んだ際には固定指掛け部１４側に設けた指掛け穴１４ｄの中に可動指掛け部２８が収納されるようになり、厚み方向への嵩張りを生じないという利点を有する。
【００４２】
また、固定指掛け部１４側には、この折り畳んだ状態のときに回動連結部２９が嵌まり込むための溝部２４ｆが刻設されており、回動連結部２９の厚み分の嵩張りも防いでいる。
【００４３】
なお、ここでは固定指掛け部の内側に可動指掛け部が収納されるものとしているが、これに限定されるものではなく、例えば可動指掛け部側の指掛け穴の中に固定指掛け部が収納されるようにしたものであってもよい。
【００４４】
以上説明したように、本発明にかかる鋏は、使用時の使い勝手を損ねることなく幅方向の嵩張りを少なくすることができ、ペン立てや筆入れに収納した際にもスペースをあまりとらないという利点を有する。さらには、構造も簡単なので安価に提供することもできるという利点も有している。
【符号の説明】
【００４５】
１０，２０・・・・・・・鋏
１１・・・・・・・・・・鋏片
１２・・・・・・・・・・固定アーム部
１３・・・・・・・・・・刀身部
１３ｃ・・・・・・・・・軸孔
１４・・・・・・・・・・固定指掛け部
１４ｄ・・・・・・・・・指掛け穴
２４ｆ・・・・・・溝部
１５，２５・・・・・・・鋏片
１６，２６・・・・・・・連結アーム部
１６ｂ・・・・・・・・・支持板
１６ｃ・・・・・・・・・支持孔
１７・・・・・・・・・・刀身部
１７ｃ・・・・・・・・・軸孔
１８・２８・・・・・・・可動指掛け部
１８ｄ・・・・・・・・・指掛け穴
１９・２９・・・・・・・回動連結部
１９ｅ・・・・・・・・・支持軸
２９ａ・・・・・・支持基板
２９ｂ・・・・・・支持板
２９ｃ・・・・・・支持孔
９１・・・・・・・・・・支軸
９２・・・・・・・・・・支持ピン
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】